(57)【特許請求の範囲】
【請求項１】
上面側に火炎口を有するガスバーナーが配設された本体部と、前記ガスバーナーにガスを供給するガス供給部と、を備える携帯式ガスコンロであって、
前記本体部は、前記ガスバーナーへの外風の吹き込みを抑えるために、外部空間と前記ガスバーナーとを隔てるようにした風防手段を有し、
前記風防手段は、前記ガスバーナーの周囲に配置された内側風防手段と、この内側風防手段より前記本体部の周縁部側に配置された外側風防手段とを有し、
前記外側風防手段は、前記外部空間と前記内側風防手段とを隔てるようにした複数の衝立部と、二次空気を取り込むための複数の空気導入部とが、交互に配置され、
かつ、
前記複数の空気導入部の夫々に対向して、外風の進入を防ぐ遮蔽部が配置されており、前記遮蔽部と前記衝立部との間には前記空気導入部と連通した空間が設けられている
ことを特徴とする携帯式ガスコンロ。
【請求項２】
前記遮蔽部は、前記空気導入部より外側に配置されており、前記連通した空間は、外風が異なる方向から入ってくるように形成されている、ことを特徴とする請求項１に記載の携帯式ガスコンロ。
【請求項３】
前記空気導入部の上と前記遮蔽部の上部とを繋ぐ上側板状部と、前記空気導入部の下と前記遮蔽部の下部とを繋ぐ下側板状部とを有することを特徴とする請求項１または２に記載の携帯式ガスコンロ。
【請求項４】
前記内側風防手段は、前記ガスバーナーと前記外側風防手段とを隔てると共に厚み方向に貫通孔のない壁部と、前記本体部の上面に沿って配置された底板部とを有し、
前記上面と前記底板部との間には、空気の通り路となる通路部を有し、その通路部は前記火炎口より低く配置されている
ことを特徴とする請求項１ないし３のいずれかに記載の携帯式ガスコンロ。
【請求項５】
前記本体部は前記外側風防手段より内側に五徳を有し、前記外側風防手段の上縁が前記五徳の上縁より低く配置されており、
前記外側風防手段の上縁には、前記五徳の上縁の内の最上端より高くなるようにした複数の突出部が設けられている
ことを特徴とする請求項１ないし４のいずれかに記載の携帯式ガスコンロ。
【発明の詳細な説明】
【技術分野】
【０００１】
本発明は、風防手段を備えた携帯式ガスコンロに関するものである。
【背景技術】
【０００２】
キャンプの時など、屋外で持ち運び可能な携帯式ガスコンロを使用する場合、外風によってガスバーナーの火炎が立ち消えてしまうことがある。このため、屋外でも使用できるように、風防手段を設けた携帯式ガスコンロがある（例えば、特開２００３−３０７３１２）。
この従来の携帯式ガスコンロは、汁受け皿の上に、ガスバーナーを囲むように略円筒状の風防手段が設けられており、これにより外風がガスバーナーに強く当たることを防いで、火炎の立ち消えを防止している。そして、この風防手段には多数の小穴が設けられており、この小穴から２次空気を取り込んで、不完全燃焼も防止している。
【先行技術文献】
【特許文献】
【０００３】
【特許文献１】特開２００３−３０７３１２号公報
【発明の概要】
【発明が解決しようとする課題】
【０００４】
ところが、最近、海辺やビルの屋上、ベランダ等でも携帯式ガスコンロを使って鍋料理等の料理をする機会が増えており、このような場所ではかなり強い風が吹いている。また、震災時などにおいて、嫌でも屋外の強風の中で料理をしなければならない場合もある。
そこで、発明者が強風の中で従来の携帯式ガスコンロを使用して料理を試したところ、立ち消えこそ有効に防止されたが、お湯が沸かなかったり、また、お湯が沸いたとしても非常に時間がかかってしまった。
この点、強風時にお湯が沸かない等の事態は、風防手段の穴がいくら小さくても、穴から吹き込んできた強い風が、火炎を横倒しにしてしまうことが原因であると分かった。
【０００５】
本発明は、以上のことに鑑みてなされたもので、強風の中であっても、火炎の横倒しを有効に防止し、加熱性能を維持できる携帯式ガスコンロを提供することを目的とする。
【課題を解決するための手段】
【０００６】
上記課題は、本発明によれば、上面側に火炎口を有するガスバーナーが配設された本体部と、前記ガスバーナーにガスを供給するガス供給部と、を備える携帯式ガスコンロであって、前記本体部は、前記ガスバーナーへの外風の吹き込みを抑えるために、外部空間と前記ガスバーナーとを隔てるようにした風防手段を有し、前記風防手段は、前記ガスバーナーの周囲に配置された内側風防手段と、この内側風防手段より前記本体部の周縁部側に配置された外側風防手段とを有し、前記外側風防手段は、前記外部空間と前記内側風防手段とを隔てるようにした複数の衝立部と、二次空気を取り込むための複数の空気導入部とが、交互に配置され、かつ、前記複数の空気導入部の夫々に対向して、外風の進入を防ぐ遮蔽部が配置されており、前記遮蔽部と前記衝立部との間には前記空気導入部と連通した空間が設けられている携帯式ガスコンロにより解決される。
【０００７】
本発明の構成によれば、本体部は、ガスバーナーの周囲に配置され内側風防手段だけではなく、それより周縁部側に外側風防手段を有するため、強風が吹いたとしても、その強風のガスバーナーへの吹き込みを防止できる。
この点、このように複数の風防手段を設けることで、二次空気の取り込みが不足して不完全燃焼を起こす恐れがある。特に、外側風防手段で囲まれた領域と同等或いはそれ以上大きな底面積を有する鍋類を載置すると、燃焼用の二次空気を取り込むためのスペースがかなり制限されて、不完全燃焼の恐れが高まってしまう。
ところが、外側風防手段は、外部空間と内側風防手段とを隔てるようにした複数の衝立部と、二次空気を取り込むための複数の空気導入部とが、交互に配置されているため、この空気導入部から燃焼用の二次空気を取り込める。また、無風下であっても、二次空気の取り込みが容易である。
ここで、このように空気導入部を設けると、強風の場合、外風が勢いよく空気導入部を通り抜けて外側風防手段の内側に侵入し、結局、火炎を横倒しする可能性を上げてしまう。しかし、本発明では、複数の空気導入部の夫々に対向して、外風の侵入を阻む遮蔽部が配置されており、この遮蔽部と衝立部との間には空気導入部と連通した空間が設けられている。従って、外風は遮蔽部に衝突して、外側風防手段の内側に勢いよく進入することが有効に防止されると共に、遮蔽部と衝立部との間の空間から二次空気を取り込める。
かくして、二次空気を取り込んで不完全燃焼を防止しつつ、外風の勢いを弱めて火炎の横倒しを防止できる。
【０００８】
また、好ましくは、前記遮蔽部は、前記空気導入部より外側に配置されており、前記連通した空間は、外風が異なる方向から入ってくるように形成されている、ことを特徴とする。
【０００９】
また、好ましくは、前記空気導入部の上と前記遮蔽部の上部とを繋ぐ上側板状部と、前記空気導入部の下と前記遮蔽部の下部とを繋ぐ下側板状部とを有することを特徴とする。
そうすると、上側板状部と下側板状部と遮蔽部の存在により、遮蔽部と衝立部との間の空気導入部と連通した空間は、遮蔽部の左右のみとなり、この左右それぞれから通過してきた風が正面衝突して、効率よく風の勢いを弱めることになる。
また、例えば鍋から粘り気のある汁等が吹き零れた場合であっても、上側板状部が庇の機能を果たし、吹き零れが空気導入部を埋めてしまう恐れを防止して、二次空気の取り入れを問題なく行うことができる。
【００１０】
また、好ましくは、前記内側風防手段は、前記ガスバーナーと前記外側風防手段とを隔てると共に厚み方向に貫通孔のない壁部と、前記本体部の上面に沿って配置された底板部とを有し、前記上面と前記底板部との間には、空気の通り路となる通路部を有し、その通路部は前記火炎口より低く配置されていることを特徴とする。
そうすると、外側風防手段の空気導入部等から取り込まれた二次空気は、その勢いが残っていたとしても、内側風防手段の貫通孔のない壁部に遮られるため、火炎を横倒しにする事態を防止できる。
そして、外側風防手段の内側に入ってきた二次空気は、本体部の上面と内側風防手段の底板部との間の通路部を通りながら整流されて、内側風防手段に囲まれた空間に進入することになる。ここで、この内側風防手段に囲まれた空間にはガスバーナーが配置されているが、通路部はガスバーナーの火炎口より低く配置されているため、通路部を通過した二次空気は、火炎口に衝突する恐れが低く、さらに、排気ガスの排気による空気の吸い込みにより上昇し（煙突効果）、これにより二次空気が適切に供給されるため、完全燃焼した火炎を得ることができる。
また、この通路部は本体部の上面に沿っているため、二次空気が通路部を通る際に、本体部の上面は冷却され、これにより機器の加熱を防止できる。
【００１１】
また、好ましくは、前記本体部は前記外側風防手段より内側に五徳を有し、前記外側風防手段の上縁が前記五徳の上縁より低く配置されており、前記外側風防手段の上縁には、前記五徳の上縁の内の最上端より高くなるようにした複数の突出部が設けられていることを特徴とする。
そうすると、外側風防手段の上縁が五徳の上縁より低く配置されているため、大きな鍋類を五徳に載置した場合であっても、その鍋類と外側風防手段の上縁との間にスペースができ、そのスペースから熱い排気ガスを逃がして、機器の加熱を防止できる。
さらに、外側風防手段の上縁には、五徳の最上端部より高くなるように、複数の突出部が設けられているため、五徳の上に置かれた鍋類が横滑りしたとしても、突出部がストッパーとなって、鍋類の転倒等を防止できる。
しかも、この突出部の上に鍋類を置くこともでき、その場合であっても、外側風防手段の上縁より上のスペースから排気ガスを逃がすことができる。
【発明の効果】
【００１２】
本発明は、上述のような構成を有することから、強風の中であっても、火炎の横倒しを有効に防止し、加熱性能を維持できる携帯式ガスコンロを提供することができる。
【図面の簡単な説明】
【００１３】
【図１】本発明の実施形態に係る携帯式ガスコンロの斜視図。
【図２】図１の携帯式ガスコンロの概略平面図であり、ガス供給部については、蓋体を取り外した場合の平面図、外側風防手段の部分については、水平方向に切断（図４のＡ−Ａ線の位置で切断）した場合の概略断面図。
【図３】図１の携帯式ガスコンロを図２のＢ−Ｂ線の位置で切断した場合の概略縦断面図。
【図４】図４（ａ）は図１の携帯式ガスコンロの部分正面図（一点鎖線から三点鎖線は大きさの異なる鍋類を図示）、図４（ｂ）は外側風防手段の突出部の斜視図。
【図５】図１の携帯式ガスコンロと従来の携帯式ガスコンロについて、湯沸し時間を測定したグラフ。
【図６】図１の携帯式ガスコンロと図１の外側風防手段を取り外した携帯式ガスコンロについて、湯沸し時間を測定したグラフ。
【図７】本発明の実施形態の変形例に係る携帯式ガスコンロの外側風防手段の部分斜視図。
【図８】図７の携帯式ガスコンロについて、外風が正対して吹いた場合と斜めから吹いた場合の湯沸し時間を比較したグラフ。
【図９】本発明の実施形態の他の変形例に係る外側風防手段であって、その変形例の特徴部分を示す図。
【発明を実施するための形態】
【００１４】
以下、この発明の好適な実施の形態を添付図面を参照しながら詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、各図面間において同じ符号が付けられたものは同じ構成である。また、特に言及のない限り、以下にいう「内側」とは水平方向についての内側、「外側」とは水平方向についての外側を意味する。
【００１５】
本発明の実施形態に係る携帯式ガスコンロ（以下、「ガスコンロ」という）１は、持ち運び可能な大きさと重量を有し、キャンプ・震災時等の屋外において、その上に鍋や鉄板等の鍋類を載置して、調理に用いられる。
ガスコンロ１は、図１に示すように、本体部２と、この本体部２の片側横に隣接して接続されたガス供給部４とを備えている。
〔ガス供給部〕
ガス供給部４は、図１及び図２に示すように、ガスバーナー１２にガスを供給するための部分であり、カートリッジ式のガスボンベ２８を収容するボンベ収容室２３を有している。ボンベ収容室２３はスチールに耐熱塗装を施して形成され、ヒンジ２５を中心に回動可能な蓋体２２によりガスボンベ２８を覆っている。なお、蓋体２２には、内側に熱が篭らないように、複数の貫通孔２１が形成されている。
【００１６】
ボンベ収容室２３の内側にはボンベ接続部２７があり、このボンベ接続部２７にガスボンベ２８が着脱可能となっている。ガスボンベ２８から吐出された燃料ガスは、ボンベ接続部２７内に設けられたガバナーに入って圧力調整されるようになっている。なお、ガスボンベ２８が加熱されてその内部圧力が異常に上昇した時、安全機構が作動して外れるように、ボンベ接続部２７とガスボンベ２８との着脱手段２６はマグネットとされている。また、このボンベ接続部２７は操作摘み部２４と接続され、ガスボンベ２８から供給されるガス量が調整可能とされている。このようにしてガスボンベ２８からボンベ接続部２７を介して供給される燃料ガスは、ガス導管やガス・空気混合器（図示せず）を通って、空気と混合されながら、本体部２側のガスバーナー１２に供給される。そして、操作摘み部２４の回転によりイグナイタ３８が押されてパルス電圧が発生し、そのパルス電圧によって電極３９が放電することで、燃料ガスが点火する。
【００１７】
〔本体部〕
本体部２は、図１に示すように、全体が円柱状のガスバーナー１２と、上面側に火炎口１０を露出するようにしてガスバーナー１２を収容する筐体６と、この筐体６に接続され、鍋類を載置するための五徳８と、ガスバーナー１２への外風の吹き込みを抑えるための風防手段３０とを有している。
【００１８】
〔筐体〕
筐体６は全体が略矩形状、平面視が略正方形とされ、底面に複数の脚部１７が設けられている。この筐体６は、図３に示すように、上面６Ａの中央部に円形の貫通孔１４を有し、火炎口１０が露出するようにして貫通孔１４内にガスバーナー１２を収容している。
そして、図１〜図３に示すように、貫通孔１４の周囲は、上面６Ａが平面視においてリング状に窪んだ凹所１６となり、この凹所１６が、煮こぼれ等を受けとめる汁受け皿にされると共に、燃焼用の二次空気を導くための通路の一部にされている（この点については、後で詳細に説明する）。
このリング状の凹所１６は、図３に示すように、外周部１６ａ及び内周部１６ｂが傾斜面とされ、外周部１６ａと内周部１６ｂとの間の中央領域１６ｃは平坦面とされている。この中央領域１６ｃの上には、所定の高さを有する複数の土台１９が固定されており、この土台１９に五徳の脚部８ａが接続されている。本実施形態の土台１９は錐台状であり、リング状の円周に沿って等間隔に４個設けられている。
また、筐体６は、側面６Ｂがスチールに耐熱塗装を施して形成されており、上面６Ａは耐熱性に優れたホーローで形成されている。なお、ホーローは周知のものを利用でき、金属の表面にガラス質を主成分とする釉薬を塗って高温で焼きつけて形成できる。そして、側面６Ｂの上面６Ａ側周縁は段部１１を有し、この段部１１に、上面６Ａの折り曲げ加工された周縁部が係止されている。
【００１９】
〔五徳〕
五徳８は、図１に示すように、上面６Ａの四隅からガスバーナー１２に向かって延伸して形成され、４本の五徳８でガスバーナー１２を囲んでいる。各五徳８は二本の脚部８ａ，８ｂを有し、外側の脚部８ｂは上面６Ａの四隅に固定され、内側の脚部８ａは図１及び図３に示すように、上述した土台１９に固定されている。本実施形態の五徳８は上面６Ａと同様にホーローから形成されている。このように、上面６Ａ側の部材がホーローで形成されているのは、二重の風防手段３０を設けたことで、通常のガスコンロに比べて加熱され易くなっているためである。
【００２０】
〔風防手段〕
風防手段３０は、火炎への強風の吹き込みを抑えるためのもので、水平方向について外部空間Ｓとガスバーナー１２とを二重に隔てるように、相対的に内側と外側に配設された内側風防手段３２及び外側風防手段３１を有している。
先ず、外側風防手段３１について説明する。
図１の外側風防手段３１はホーローで形成されており、平面視が略四角形状である枠体とされ、本体部２の周縁部に着脱可能に載置されている。
そして、外側風防手段３１は、図１及び図２に示すように、複数の衝立部４２と、複数の空気導入部５０とが交互に配置されて形成されている。
【００２１】
衝立部４２は、外部空間Ｓと内側風防手段３２とを隔てるように起立して、主に、外風が強く内側に吹き込んでくることを防止するための手段であり、空気導入部５０は、主に二次空気を取り込むための空間である。
具体的には、全体が枠体である外側風防手段３１の平板状部の厚み方向に複数の貫通孔を形成することで、該貫通孔を空気導入部５０にすると共に、貫通孔ではない部分を衝立部４２としている。このため、本実施形態の外側風防手段３１では、空気導入部５０の上下に平板状部３１ｂ，３１ｃが存在し、この上下の平板状部３１ｂ，３１ｃも外部空間Ｓと内側風防手段３２とを隔てて、外風の吹き込みを防止する衝立部の機能を果たしている。
【００２２】
空気導入部５０は、図の場合、四角形であるが、本発明はこれに限られない。好ましくは、空気導入部５０は、図３に示すように、内側風防手段３２の上端３２ｃより下に配置されるのがよい。
なお、図１〜図３に示すように、空気導入部５０は、ガス供給部４に隣接して対向する外側風防手段３１の平板状部ＦＬには設けられておらず、これにより、熱風が空気導入部５０を通過してガス供給部４に当たることを防いでいる。
【００２３】
そして、複数の空気導入部５０の夫々に対向して遮蔽部４６が配置され、この遮蔽部４６と衝立部４２との間には空気導入部５０と連通した空間（以下、「連通空間」という）５１が設けられている。すなわち、連通空間５１と空気導入部５０とが繋がるように、空気導入部５０と遮蔽部４６との間には所定の間隔Ｄ１が設けられており、これにより、外風ＡＲ１は連通空間５１を介して空気導入部５０を通過し、燃焼用の二次空気として供給される。なお、図示された間隔Ｄ１は４ｍｍ程度とされている。
【００２４】
本実施形態の外側風防手段３１は、上述した四角形状の枠体の高さ方向（図１のＹ方向）の中央領域を絞り加工で外側に押し出すことにより、衝立部４２、空気導入部５０、遮蔽部４６、及び連通空間５１を同時に形成するようになっている。
また、この絞り加工によって、図１の一点鎖線で囲った図に示すように、空気導入部５０の上の平板状部３１ｂと遮蔽部４６の上部とを繋ぐ上側板状部５３が形成されると共に、空気導入部５０の下の平板状部３１ｃと遮蔽部４６の下部とを繋ぐ下側板状部５５が形成されている。
そして、空気導入部５０に正対して視認した際、遮蔽部４６と上側板状部５３と下側板状部５５で、空気導入部５０が隠されるようになっている。すなわち、図の場合、上側板状部５３は外側に向うに従って下となる傾斜面とされ、下側板状部５５は外側に向うに従って上となる傾斜面とされている。また、空気導入部５０と上側板状部５３から下側板状部５５までとは同様の高さＨ１とされ、空気導入部５０と遮蔽部４６・上側板状部５３・下側板状部５５とは同様の幅Ｗ１とされている。
このように上側板状部５３を設けることで、鍋類からの吹き零れが、空気導入部５０と遮蔽部４６との間の空間に詰まる恐れを防止でき、その意味で上側板状部５３は庇部とも言える。また、上側板状部５３と下側板状部５５の双方を設けることで、一つの遮蔽部４６の左右両側にのみ連通空間５１，５１が形成されることになる。この左右の連通空間５１，５１は互いに対向している。
【００２５】
以上のように、外側風防手段３１は種々な構成を有するため、外風が外側風防手段３１に正対して吹きつけると、図２及び図３に示すように、外風ＡＲ１と正対する面ＦＦについては、外風ＡＲ１は、遮蔽部４６、上側板状部５３、及び下側板状部５５に遮られて、空気導入部５０に直接吹き込むことが防止される。なお、傾斜された上側板状部５３及び下側板状部５５に当たった外風ＡＲ１は、その上下の平板状部３１ｂ，３１ｃにより内側への吹き込みが防止される。また、遮蔽部４６の左右両側の連通空間５１，５１から吹き込んできた外風ＡＲ１，ＡＲ１は、外風同士が干渉し合って、風の勢いを弱めながら空気導入部５０を通過することになる。
なお、図２の右側に示す外風ＣＲのように、外風が外側風防手段３１に対して斜めに吹きつけた場合であっても、外風ＣＲの一部は遮蔽部４６に遮られ、また、一部は衝立部４２に衝突しながら内側に入ろうとし、さらに、間隔Ｄ１は然程大きくはないため、少なくとも大量の外風が直接、空気導入部５０を通過することはない。このため、正対して外風ＡＲ１が吹きつけられた場合ほどではないにせよ、風の勢いを弱めながら、空気導入部５０を通過することになる。
【００２６】
さらに、外風ＡＲ１が吹きつけると、図２に示すように、その一部ＡＲ２が略四角形状の枠体の面ＦＦと略垂直な面ＳＦに設けられた連通空間５１から入り込み、複数の衝立部４２と衝立部４２より外側に配置された複数の遮蔽部４６との間を連続して通過することになる。従って、面ＳＦの内側空間が陰圧になって、内側の熱い空気ＨＡは面ＳＦの空気導入部５０に向かって引っ張られ、外部空間Ｓに放出されることになる。すなわち、外側風防手段３１が四角形状の枠体とされ、かつ、一つの遮蔽部４６の左右両側に連通空間５１，５１が設けられることで、二重の風防手段３０により生じ易い熱の篭りの問題も軽減できる（以下、「通風による冷却効果」という）。
【００２７】
また、本実施形態の場合、図４に示すように、外側風防手段３１の上縁３１ａ（突出部５９，６０を除く上縁）は五徳８の上縁８ｄより低く配置されており、これにより、いかなるサイズの鍋類を五徳８に載置した場合であっても、その鍋類と外側風防手段３１の上縁３１ａとの間にスペースＳＰを確保できる。従って、図３に示すように、鍋類の底を伝わって流れてきた熱い排気ガスＥＸは、容易にスペースＳＰから排出されて、ガスコンロ１自体の加熱を防止できる。
そして、図４に示すように、外側風防手段３１の上縁３１ａには、五徳８の上縁８ｄの内の最上端８ｃより高くなるように上側に突出した複数の突出部５９，６０が設けられている。突出部５９，６０は、主に、五徳８に載置された鍋類ＰＡ２・ＰＡ３の横滑りを防止するストッパーである。すなわち、本実施形態では、風防手段３０を二重に設けて熱が篭り易くなったため、耐熱性を考慮して五徳８をホーローで形成した。しかし、ホーローは滑り易いという問題がある。そこで、滑り易いホーローを用いた場合であっても、鍋類の横滑りを防止するためのガスコンロ１を提供することを目的としている。
【００２８】
ガス供給部４に隣接した突出部６０は、載置された鍋類ＰＡ２,ＰＡ３を係止して、少なくとも鍋類ＰＡ２，ＰＡ３の底部が本体部の上面６Ａよりもガス供給部４側に移動しないようにしている。具体的には、突出部６０は、ガス供給部４と対向する平板状部ＦＬ（図１参照）の上縁の両端に２箇所設けられており、その根元と中間部は上に向かって真っ直ぐ延伸している。また、大半の鍋類は、図４の一点鎖線で示される中程度の鍋類ＰＡ３、二点鎖線で示される大きめの鍋類ＰＡ２のように、開口部に向けて広がった側面形状を有しているため、その側面形状に対応した傾斜角θ２を先端部（五徳８の最上端８ｃより上側の部分）６０ａに有している。
【００２９】
これに対して、突出部５９は、図１に示すように、外側風防手段３１のガス供給部４に隣接しない２箇所の角部領域に配設されて、その角部に対応した幅方向中央５９ｃが曲げ加工されており、さらに、図４に示すように、上側であって幅方向の中央部５９ａは、鍋類ＰＡ２の側面角部ＰＡ２−１の形状に対応して切り欠かれて、上側の幅方向の両端部５９ｂ，５９ｂに比べて低い位置とされている（図の場合、中央部５９ａの高さは五徳８の最上端８ｃと同等である）。これにより、例えばチリトリとも呼ばれる鍋類（平面視が四角形状であって、底部は本体部２の上面６Ａと同等或いはそれ以下の面積であり、かつ、開口部が上面６Ａよりも大きくなるように傾斜した側面を有する鍋類）ＰＡ２の最も外側に張り出した側面角部ＰＡ２−１を、中央部５９ａから外側にはみ出させると共に、両端部５９ｂ，５９ｂで鍋類ＰＡ２の側面ＰＡ２−２を係止している。
【００３０】
また、本体部の上面６Ａよりも大きな底を有する鍋類ＰＡ１は、これら複数の突出部５９，６０の上に置くこともでき、その場合であっても、鍋類ＰＡ１の底と外側風防手段３１の上縁３１ａとの間にスペースを形成して、そこから内側の熱い排気ガスを排出できる。このようにして、本実施形態の外側風防手段３１と五徳８により、様々なサイズの鍋類に対応できる。
【００３１】
次に、内側風防手段３２について説明する。
内側風防手段３２は、図２の網掛けで示される部分であり、平面視において、ガスバーナー１２の周囲に配置されて幅の広いリング状をなし、図１に示すように、全体がフライパンないし浅い洗面器のような形状をしている。すなわち、内側風防手段３２は、ガスバーナー１２と外側風防手段３１とを隔てるように起立した壁部３２ｂと、この壁部３２ｂに連続して形成された底板部３２ａとを有し、底板部３２ａの中央領域に形成された貫通孔３４からガスバーナー１２の火炎口１０を含む上部が露出するようになっている。
【００３２】
壁部３２ｂは、ガスバーナー１２を取り囲んだ壁であり、従来の風防手段のように厚み方向に貫通孔は存在せず、これにより、図３に示すように、外側風防手段３１より内側であって、壁部３２ｂより外側の空間（以下、「侵入空間」という）Ｓ１に入ってきた風が火炎を横倒しすることを防止している。なお、貫通孔のない内側風防手段３２は内側に熱が篭り易いため、熱放散性に優れたホーローで形成されている。
具体的には、壁部３２ｂは、侵入空間Ｓ１に入ってきた風が直接火炎に当たらないような高さＨ２を有し、図３の場合、少なくとも上端部３２ｃが空気導入部５０と同等以上に配置されている。なお、壁部３２ｂの高さＨ２については、外側風防手段３１の上縁３１ａと内側風防手段３２の上端部３２ｃとを直線で結んだ仮想線Ｍｇが、ガスバーナー１２の火炎口１０より上を通るような高さとされるのが好ましい。さらに、例えば、図４の鍋類ＰＡ３のように鍋類の底面積が外側風防手段３１で囲まれた面積よりも相当小さい場合、図３の一点鎖線の矢印ＯＰのように外側風防手段３１の上縁３１ａの上からスペースＳＰに外風が吹き込むこともあるが、その場合であっても、その吹き込んできた外風を遮るように壁部３２ｂの高さＨ２を設定するのが好ましい。本実施形態の壁部３２ｂの高さＨ２は３０ｍｍ程度とされている。
また、壁部３２ｂは、上側に向うに従って除々に外側に位置するように傾斜した傾斜角θを有し、しかも、上端部３２ｃが外側に向かって折り返されるように曲げられている。これにより、侵入空間Ｓ１に入ってきた風を後述する通路部４０に導き易くしている。
【００３３】
底板部３２ａは、図３に示すように、複数の土台１９の上に載置されると共に、本体部２の上面６Ａに沿って配置され（図の場合、底板部３２ａと上面６Ａとは略平行）、これにより、上面６Ａと底板部３２ａとの間に所定の間隔Ｈ３をつくり、これが燃焼用の空気（二次空気）ＡＲ１の通り路となる通路部４０とされている。具体的には、侵入空間Ｓ１に入ってきた空気ＡＲ１は、燃焼による排気ガスＥＸによりガスバーナー１２側に吸い込まれて（煙突効果）通路部４０を通り、本体部内の下側から上面６Ａの貫通孔１４を通過して上昇する空気ＡＲ３と合流して、ガスバーナー１２に隣接する外側で上昇することになる。従って、火炎は横倒しになることもなく、無風状態と同様に立ち上がった火炎形状を得ることができる
【００３４】
この通路部４０の半径方向（図３のＸ方向）の長さＬ１は、侵入空間Ｓ１に入ってきた空気の流れが乱れたとしても、概ね整流できる長さを有するのが好ましく、図３の長さＬ１は３４ｍｍ程度とされている。また、通路部４０の上下間隔（底板部３２ａと上面６Ａとの間隔）Ｈ３は、狭過ぎるとガスバーナー１２側に供給される二次空気の量が低減し、広過ぎると上述した整流効果が低くなるため、ほどよい間隔が好ましく、図３の間隔Ｈ３は５ｍｍ程度とされている。
また、底板部３２ａの内周側周縁部３２ｄが窪み部１６の傾斜面１６ｂに対応して傾斜することで、通路部４０の内側周縁部４０ａはガスバーナー１２に向うに従って上側となるように傾斜し、これにより、通路部４０を通過し終えた空気ＡＲ１を上昇し易くして、火炎の横倒しをより効果的に防止している。
さらに、通路部４０の内側周縁部４０ａはガスバーナー１２の火炎口１０より下に配置され、これにより、通路部４０を通過し終えた空気ＡＲ１が火炎口１０に当たることを防いで、火炎の横倒しを防止している。
【００３５】
なお、内側風防手段３２を載置するための土台１９は、五徳を固定する手段でもあり、このため、図１に示すように、内側風防手段３２には五徳８の脚部８ａを挿通するための貫通孔３７が形成されている。そして、五徳８は壁部３２ｂの上端部３２ｃを跨いで四隅に固定され、これにより、内側風防手段３２は本体部２に固定されている。
【００３６】
本実施形態は以上のように構成され、風防手段３０は内側と外側の二重に配置されているため、強風による火炎の横倒しを効果的に防止できる。さらに、空気導入部５０や通路部４０を設けることで二次空気を適正に確保しつつ、空気導入部５０に対向する遮蔽部４６により、空気導入部５０を通過する風の勢いを弱めている。さらに、通路部４０を本体部２の上面６Ａに沿わせて、風が通る際に冷却効果を発揮させたり、連続する複数の空気導入部５０と複数の遮蔽部４６との間に風ＡＲ２を通り抜けさせて、通風による冷却効果を発揮させたりして、本体部２の加熱を防止している。
【００３７】
図５及び図６は以上の本実施形態の効果を明らかにしている。
すなわち、図５は本実施形態と従来のガスコンロの双方について、湯沸し時間を測定したグラフであり、Ａ１が本実施形態のガスコンロの測定結果、Ａ２が従来のガスコンロの測定結果である。なお、従来のガスコンロが本実施形態のガスコンロと相違するのは、外側風防手段がなく、かつ、内側風防手段は底板部がなく、複数の貫通孔を有するパンチングメタルとなっている点である。また、コンロにかける鍋には１．５リットルの水を入れ、風速毎秒３ｍ、平均室温約２８度の環境下で実験を行った。
その結果、測定結果Ａ１では１６分の早さで約１００度に達したのに対して、測定結果Ａ２では３０分を経過しても１００度に達しなかった。そして、測定結果Ａ１は測定結果Ａ２に比べて温度上昇率が約２.４倍であり、このことから、本実施形態のガスコンロは単に風防手段を二重にしただけではない効果があることも分かった。
【００３８】
図６は本実施形態のガスコンロと、本実施形態の外側風防手段を取り外した（即ち、本実施形態の風防手段のみの）ガスコンロについて、湯沸し時間を測定したグラフである。なお、コンロにかける鍋には１．５リットルの水を入れ、風速毎秒３ｍ、平均室温約２７度の環境下で実験を行った。
具体的には、Ｃ１及びＣ２は、鍋底面積が外側風防手段で囲った面積と同程度の大きめの鍋を用いた測定結果であり、Ｃ１が本実施形態のガスコンロの測定結果、Ｃ２が外側風防手段を取り外したガスコンロの測定結果である。
これより、測定結果Ｃ１と測定結果Ｃ２との比較より、本実施形態のガスコンロの温度上昇率が良好であることが分かる。なお、目視においても、外側風防手段を取り外したガスコンロでは火炎が飛んでいたが、本実施形態のガスコンロでは火炎は安定していた。  
【００３９】
図７は、本発明の上述した実施形態の変形例に係るガスコンロ１００であって、全体が四角形状の枠体である外側風防手段６２の部分斜視図である。
本変形例に係るガスコンロ１００が図１のガスコンロ１と異なるのは、外側風防手段６２の構成のみであって、他の構成は同じである。
すなわち、図７の外側風防手段６２は、図１の外側風防手段３１と同様、外部空間Ｓと内側風防手段（図示せず）とを隔てるようにした複数の衝立部６４と、二次空気を取り込むための複数の空気導入部６６とが、交互に配置されている。また、複数の空気導入部６６の夫々に対向して、外風の進入を防ぐ遮蔽部６８が配置されており、遮蔽部６８と衝立部６４との間には空気導入部６６と連通した連通空間６９が設けられている。
【００４０】
具体的には、外側風防手段６２は、平面視が四角形状の枠部４７の内側上部に、複数の衝立部６４を所定の間隔Ｗ３をあけて接合すると共に、枠部４７の外側上部に、前記間隔Ｗ３により成る複数の空気導入部６６の夫々に対向するように、複数の遮蔽部６８を接合することで形成されている。なお、通風による冷却効果を発揮させるため、枠部４７の四隅に遮蔽部６８を接合しないのが好ましい。
このため、外側風防手段６２に正対して吹いた外風ＡＲ４は、遮蔽部６８や枠部４７に遮られて、空気導入部６６に直接吹き込むことが防止される。また、遮蔽部６８の左右両側の連通空間６９，６９から吹き込んできた外風ＡＲ４は、その外風同士が干渉し合って、風の勢いを弱めながら空気導入部６６を通過することになる。さらに、外側風防手段６２は全体が四角形状の枠体とされ、かつ、一つの遮蔽部６８の左右両側に連通空間６９，６９が設けられることで、一点鎖線で示される外風ＡＲ５が複数の遮蔽部６８と複数の衝立部６４との間を連続して通り抜けて、通風による冷却効果を発揮する。
なお、図１に示す上側板状部５３と同じものは存在しないが、枠部４７が上側板状部５３と同様の機能を発揮し、空気導入部６６や連通空間６９等に吹き零れが侵入することを防止している。
このようにして、本変形例のガスコンロ１００では、図１の下側板状部５５や突出部５９，６０が存在しないだけで、図１のガスコンロ１と同様の機能を得ることができる。
【００４１】
図８は、図７のガスコンロ１００について、外風ＡＲ４が外側風防手段６２に正対して吹いた場合と、外風ＡＲ６が斜めから吹いた場合の湯沸し時間を比較したグラフであり、Ｅ１は外風ＡＲ４が吹いた場合の測定結果、Ｅ２は外風ＡＲ６が吹いた場合の測定結果である。なお、コンロにかける鍋には１．５リットルの水を入れ、風速毎秒３ｍ、平均室温約２１度の環境下で実験を行った。
この結果から、外風が外側風防手段６２に斜めから吹いた場合Ｅ２は、正対して吹いた場合Ｅ１に比べて、温度上昇率が多少落ちたものの、双方とも差し障りのない温度上昇であることが分かった。
【００４２】
ところで、本発明は上記実施形態や変形例に限定されるものではない。
例えば、図３の実施形態の土台１９は、五徳と内側風防手段３２の双方を固定するが、内側風防手段３２を固定するためだけの土台を別途設けてもよい。
また、外側風防手段３１は、本体部の周縁部に必ず配置される必要はなく、使用される鍋類の大きさを考慮して配置すればよく、この際、使用される鍋底の周縁に対応した位置に配置するのが好ましい。
また、本実施形態では好ましい形態として遮蔽部４６を空気導入部５０より外側に配置したが、本発明はこれに限られず、遮蔽部４６を空気導入部５０より内側に配置してもよい。
さらに、外側風防手段の他の変形例であって、その特徴部分を示した図９に示される外側風防手段であってもよい。なお、この図において図１〜図４のガスコンロ１と同一の符号を付した箇所は同様の構成である。
【００４３】
すなわち、図９（ａ）は第２の変形例に係る外側風防手段８０であり、図３の空気導入部５０周辺に対応した個所を図示している。この外側風防手段８０は、遮蔽部４６−１、上側板状部５３−１、下側板状部５５−１の構成のみが図３の外側風防手段３１と相違している。具体的には、遮蔽部４６−１、上側板状部５３−１、下側板状部５５−１の夫々が同じ曲率で湾曲して、一体となった断面が半円形状とされている。このような場合であっても、湾曲した遮蔽部４６−１は空気導入部５０と対向して配置されることから、図１の外側風防手段と同様の作用効果を発揮する。
【００４４】
また、図９（ｂ）は第３の変形例に係る外側風防手段８１であり、図１の一点鎖線で囲った部分に対応している。この外側風防手段８１は、遮蔽部４６−２、上側板状部５３−２、下側板状部の構成のみが図１の外側風防手段３１と相違している。具体的には、遮蔽部４６−２は空気導入部５０と同じ面積を有して対向しており、上側板状部５３−２はこの遮蔽部４６−２と直交する方向に延びて、遮蔽部４６−２の上部と空気導入部５０の上との間に掛け渡されている。
この外側風防手段８１では、図１に示す下側板状部５５は存在せず、このため、遮蔽部４６−２と衝立部４２との間の空気導入部５０と連通した連通空間５１−１は、遮蔽部４６−２の左右両側だけでなく下側にも形成されている。
このような外側風防手段８１であっても、外風は異なる方向から吹き込むため、三方の連通空間５１−１から進入した外風同士を互いに干渉し合わせて、その勢いを弱めることができる。
【００４５】
また、図９（ｃ）は第４の変形例に係る外側風防手段８２であり、その角部分のみの斜視図である。この外側風防手段８２は２枚の四角形状の枠体７８，７９により形成されており、枠体７８と枠体７９とは相対的に内側と外側に、図１の間隔Ｄ１と同じ間隔をあけながら配置されている。そして、内側の枠体７８には複数の貫通孔６５が、外側の枠体７９には複数の貫通孔６７が、それぞれ形成されており、複数の貫通孔６５と複数の貫通孔６７とは互いに対向しないように配置されている。
これにより、枠体７８については、貫通孔６５が図１の空気導入部５０と同様の機能を果たし、この貫通孔６５同士の間が図１の衝立部４２と同様の機能を果たす衝立部４２−１となる。また、枠体７９については、貫通孔６７同士の間が図１の遮蔽部４６と同様の機能を果たす遮蔽部４６−３となり、この遮蔽部４６−３の左右両側の貫通孔６７が図１の連通空間５１と同様の機能を果たすことになる。
【００４６】
また、図９（ｄ）は第５の変形例に係る外側風防手段８３であり、その角部分のみの斜視図である。この外側風防手段８３は、遮蔽部４６−４、上側板状部５３−３、下側板状部５５−３、連通空間５１−２の構成のみが図１の外側風防手段３１と相違している。具体的には、遮蔽部４６−４、上側板状部５３−３、及び下側板状部５５−３は、その中央縦断面が図９（ａ）と同様であり、夫々が湾曲して、一体となった断面は半円形状とされている。そして、連通空間５１−２は、遮蔽部４６−４の左右両側ではなく、片側にのみ設けられ、このため、外風は一つの空気導入部５０に対して一方向からのみ吹き込まれるようになっている。
このような構成を有する外側風防手段８３であっても、正対して当たってきた外風は遮蔽部４６−４に当たって、空気導入部５０に直接入り込むことがなくなる。但し、図１の外側風防手段３１のように、左右から入ってきた外風同士を干渉させて、風の勢いを弱めるという効果は期待し難く、図１の外風風防手段３１を有するガスコンロ１の方が、効果的に火炎の横倒しを防止できる。
【符号の説明】
【００４７】
１・・・携帯式ガスコンロ、２・・・本体部、４・・・ガス供給部、１２・・・ガスバーナー、３０・・・風防手段、３１・・・外側風防手段、３２・・・内側風防手段、３２ａ・・・底板部、３２ｂ・・・壁部、４０・・・通路部、４２・・・衝立部、５０・・・空気導入部、４６・・・遮蔽部、５１・・・連通した空間（連通空間）、５３・・・上側板状部、５５・・・下側板状部
【要約】
【課題】強風が吹いても、火炎の横倒しを防止できる携帯式ガスコンロを提供すること。
【解決手段】上面側に火炎口を有するガスバーナー１２が配設された本体部２を備える携帯式ガスコンロであって、本体部２は外風の吹き込みを抑えるために、外部空間Ｓとガスバーナー１２とを隔てるようにした風防手段３０を有している。そして、風防手段３０は、ガスバーナー１２の周囲に配置された内側風防手段３２と、この内側風防手段３２より外側に配置された外側風防手段３１とを有している。そして、外側風防手段３１は、外部空間Ｓと内側風防手段３２とを隔てるようにした複数の衝立部４２と、二次空気を取り込むための複数の空気導入部５０とが交互に配置され、かつ、複数の空気導入部５０の夫々に対向して、外風の侵入を阻む遮蔽部４６が配置されており、遮蔽部４６と衝立部４２との間には空気導入部５０と連通した空間５１が設けられている。
【選択図】図１【図１】
0005174947.tif 000002
【図２】
0005174947.tif 000003
【図３】
0005174947.tif 000004
【図４】
0005174947.tif 000005
【図５】
0005174947.tif 000006
【図６】
0005174947.tif 000007
【図７】
0005174947.tif 000008
【図８】
0005174947.tif 000009
【図９】
0005174947.tif 000010